(57)【特許請求の範囲】
【請求項１】
第１抵抗線を有する低抵抗抵抗器と、
第２抵抗線を有する高抵抗抵抗器とを備えた、負荷試験装置に使用される抵抗器セットであって、
前記第１抵抗線と前記第２抵抗線は、前記負荷試験装置における前記低抵抗抵抗器と前記高抵抗抵抗器を保持する枠の内側に配置され、
前記低抵抗抵抗器の抵抗値は、前記高抵抗抵抗器の抵抗値よりも低く、
前記第１抵抗線における、前記第１抵抗線の両端に接続された端子の一方と他方の間は、直線状に形成され、
前記第２抵抗線における、前記第２抵抗線の両端に接続された端子の一方と他方の間は、螺旋状に形成され、
前記第１抵抗線における前記直線状に形成された部分は、前記第２抵抗線における前記螺旋状に形成された部分の中心軸と平行になるように、前記低抵抗抵抗器と前記高抵抗抵抗器が配置されることを特徴とする抵抗器セット。
【請求項２】
前記第１抵抗線は、前記第２抵抗線よりも太いことを特徴とする請求項１に記載の抵抗器セット。
【請求項３】
第１抵抗線を有する低抵抗抵抗器と、
第２抵抗線を有する高抵抗抵抗器とを備えた負荷試験装置であって、
前記第１抵抗線と前記第２抵抗線は、前記負荷試験装置における前記低抵抗抵抗器と前記高抵抗抵抗器を保持する枠の内側に配置され、
前記低抵抗抵抗器の抵抗値は、前記高抵抗抵抗器の抵抗値よりも低く、
前記第１抵抗線における、前記第１抵抗線の両端に接続された端子の一方と他方の間は、直線状に形成され、
前記第２抵抗線における、前記第２抵抗線の両端に接続された端子の一方と他方の間は、螺旋状に形成され、
前記第１抵抗線における前記直線状に形成された部分は、前記第２抵抗線における前記螺旋状に形成された部分の中心軸と平行になるように、前記低抵抗抵抗器と前記高抵抗抵抗器が配置されることを特徴とする負荷試験装置。
【請求項４】
３組の抵抗器群を含む抵抗器群セットを複数セット有する抵抗ユニットが３つ設けられ、
前記抵抗器群は、前記低抵抗抵抗器と、３以上の奇数本の前記高抵抗抵抗器が直列接続と並列接続とが切替可能な状態で並べられたものとが直列に接続されたものであり、
前記３つの抵抗ユニットのうち、少なくとも１つの抵抗ユニットは、前記複数の抵抗器群セットのそれぞれにおいて、前記３組の抵抗器群が第１三相交流発電機とデルタ結線での接続可能な状態で配線され、
前記３つの抵抗ユニットは、前記複数の抵抗器群セットのそれぞれにおいて、前記第１三相交流発電機よりも定格電圧が大きい第２三相交流発電機とスター結線での接続が可能な状態で配線され、
前記第１三相交流発電機の負荷試験を行う場合、前記少なくとも１つの抵抗ユニットの前記複数の抵抗器群セットのそれぞれにおいて、前記３組の抵抗器群のうち、第１の抵抗器群は前記第１三相交流発電機のＲ相と接続され、第２の抵抗器群は前記第１三相交流発電機のＳ相と接続され、第３の抵抗器群は前記第１三相交流発電機のＴ相と接続され、
前記第２三相交流発電機の負荷試験を行う場合、前記３つの抵抗ユニットのうち、第１抵抗ユニットにおける前記複数の抵抗器群セットの端部の一方は前記第２三相交流発電機のＲ相と接続され、第２抵抗ユニットにおける前記複数の抵抗器群セットの端部の一方は前記第２三相交流発電機のＳ相と接続され、第３抵抗ユニットにおける前記複数の抵抗器群セットの端部の一方は前記第２三相交流発電機のＴ相と接続され、中性点接続のために前記第１抵抗ユニットにおける前記複数の抵抗器群セットの端部の他方と前記第２抵抗ユニットにおける前記複数の抵抗器群セットの端部の他方と前記第３抵抗ユニットにおける前記複数の抵抗器群セットの端部の他方が接続されることを特徴とする請求項３に記載の負荷試験装置。
【発明の詳細な説明】
【技術分野】
【０００１】
本発明は、交流発電機などの電源に対する電気負荷試験に用いられる負荷試験装置などに関する。
【背景技術】
【０００２】
複数の抵抗器が並べられた抵抗ユニットを使った乾式負荷試験装置が提案されている。
【先行技術文献】
【特許文献】
【０００３】
【特許文献１】特開２０１０−２５７５２号公報
【発明の概要】
【発明が解決しようとする課題】
【０００４】
負荷試験装置における抵抗器間の電気的な接続は、抵抗器を保持する枠の外側で行われるが、これにより配線が複雑になる場合がある。【０００５】
したがって本発明の目的は、配線を簡素化出来る負荷試験装置などを提供することである。
【課題を解決するための手段】
【０００６】
本発明に係る負荷試験装置に使用される抵抗器は、円筒部と、円筒部の内部に配置される抵抗線と、抵抗線の両端に接続された端子とを備え、抵抗線は、負荷試験装置における円筒部を保持する枠の内側に配置され、抵抗線における端子の一方と端子の他方の間は、直線状に形成される。【０００７】
低抵抗抵抗器を、枠を構成する壁に保持し、隣接する高抵抗抵抗器などと電気的に接続させることにより、枠の内部で他の高抵抗抵抗器と短絡せずに配線することが可能になる。
ブスバーやケーブルを使って、枠の内部若しくは外部を通って配線することは可能であるが、枠の内部では他の高抵抗抵抗器との短絡が生じる可能性があり、枠の外部では配線が複雑になる可能性がある。
低抵抗抵抗器を用いれば、枠の内部で他の高抵抗抵抗器と短絡することなく簡単に高抵抗抵抗器Ｈが延びる方向への配線が可能になる。【０００８】
本発明に係る負荷試験装置に使用される抵抗器セットは、第１抵抗線を有する低抵抗抵抗器と、第２抵抗線を有する高抵抗抵抗器とを備え、第１抵抗線と第２抵抗線は、負荷試験装置における低抵抗抵抗器と高抵抗抵抗器を保持する枠の内側に配置され、低抵抗抵抗器の抵抗値は、高抵抗抵抗器の抵抗値の１／５００以下であり、第１抵抗線における、第１抵抗線の両端に接続された端子の一方と他方の間は、直線状に形成され、第２抵抗線における、第２抵抗線の両端に接続された端子の一方と他方の間は、螺旋状に形成され、第１抵抗線における直線状に形成された部分は、第２抵抗線における螺旋状に形成された部分の中心軸と平行になるように、低抵抗抵抗器と高抵抗抵抗器が配置される。【０００９】
好ましくは、第１抵抗線は、第２抵抗線よりも太い。【００１０】
本発明に係る負荷試験装置は、第１抵抗線を有する低抵抗抵抗器と、第２抵抗線を有する高抵抗抵抗器とを備え、第１抵抗線と第２抵抗線は、負荷試験装置における低抵抗抵抗器と高抵抗抵抗器を保持する枠の内側に配置され、低抵抗抵抗器の抵抗値は、高抵抗抵抗器の抵抗値の１／５００以下であり、第１抵抗線における、第１抵抗線の両端に接続された端子の一方と他方の間は、直線状に形成され、第２抵抗線における、第２抵抗線の両端に接続された端子の一方と他方の間は、螺旋状に形成され、第１抵抗線における直線状に形成された部分は、第２抵抗線における螺旋状に形成された部分の中心軸と平行になるように、低抵抗抵抗器と高抵抗抵抗器が配置される。【００１１】
好ましくは、３組の抵抗器群を含む抵抗器群セットを複数セット有する抵抗ユニットが３つ設けられ、抵抗器群は、低抵抗抵抗器と、３以上の奇数本の高抵抗抵抗器が直列接続と並列接続とが切替可能な状態で並べられたものとが直列に接続されたものであり、３つの抵抗ユニットのうち、少なくとも１つの抵抗ユニットは、複数の抵抗器群セットのそれぞれにおいて、３組の抵抗器群が第１三相交流発電機とデルタ結線での接続可能な状態で配線され、３つの抵抗ユニットは、複数の抵抗器群セットのそれぞれにおいて、第１三相交流発電機よりも定格電圧が大きい第２三相交流発電機とスター結線での接続が可能な状態で配線され、第１三相交流発電機の負荷試験を行う場合、少なくとも１つの抵抗ユニットの複数の抵抗器群セットのそれぞれにおいて、３組の抵抗器群のうち、第１の抵抗器群は第１三相交流発電機のＲ相と接続され、第２の抵抗器群は第１三相交流発電機のＳ相と接続され、第３の抵抗器群は第１三相交流発電機のＴ相と接続され、第２三相交流発電機の負荷試験を行う場合、３つの抵抗ユニットのうち、第１抵抗ユニットにおける複数の抵抗器群セットの端部の一方は第２三相交流発電機のＲ相と接続され、第２抵抗ユニットにおける複数の抵抗器群セットの端部の一方は第２三相交流発電機のＳ相と接続され、第３抵抗ユニットにおける複数の抵抗器群セットの端部の一方は第２三相交流発電機のＴ相と接続され、中性点接続のために第１抵抗ユニットにおける複数の抵抗器群セットの端部の他方と第２抵抗ユニットにおける複数の抵抗器群セットの端部の他方と第３抵抗ユニットにおける複数の抵抗器群セットの端部の他方が接続される。
【００１２】
低圧の電源（第１三相交流発電機）の負荷試験を行う場合には、３つの抵抗ユニットのうち１つの抵抗ユニット（第１抵抗ユニット）と試験対象電源とがデルタ結線で接続され、高圧の電源（第２三相交流発電機）の負荷試験を行う場合には、３つの抵抗ユニットと試験対象電源がスター結線で接続される。
これにより、配線を複雑化せずに、高圧の負荷試験に用いる負荷試験装置を用いて、低圧の負荷試験を行うことが可能になる。
特に、低抵抗抵抗器を抵抗器群の一部に含めることで、低圧の電源の負荷試験時のデルタ結線と、高圧の電源の負荷試験時のスター結線とを、簡単な配線で実現出来る。
【発明の効果】
【００１３】
以上のように本発明によれば、配線を簡素化出来る負荷試験装置などを提供することができる。
【図面の簡単な説明】
【００１４】
【図１】本実施形態における乾式負荷試験装置の構成を示す模式図である。
【図２】乾式負荷試験装置における電源接続部を除く部分の斜視図である。
【図３】第１抵抗ユニットの斜視図である。
【図４】第２抵抗ユニットと第３抵抗ユニットの斜視図である。
【図５】第１抵抗ユニット〜第３抵抗ユニットにおけるｎ段目の抵抗器群セットの回路図である。
【図６】第１抵抗ユニット〜第３抵抗ユニットにおけるｎ段目の抵抗器群セットの回路図であって、第１三相交流発電機（低圧電源）の負荷試験を行う場合の各スイッチのオンオフ状態を示すものである。
【図７】第１抵抗ユニット〜第３抵抗ユニットにおけるｎ段目の抵抗器群セットの回路図であって、第２三相交流発電機（高圧電源）の負荷試験を行う場合の各スイッチのオンオフ状態を示すものである。
【図８】端子部の構成を示す模式図である。
【図９】低抵抗抵抗器と枠の位置関係を示す断面構成図である。
【図１０】低抵抗抵抗器の端子と第１抵抗線の接続部分の斜視図である。
【図１１】高抵抗抵抗器と枠の位置関係を示す断面構成図である。
【図１２】高抵抗抵抗器の端子と第２抵抗線の接続部分の斜視図である。
【発明を実施するための形態】
【００１５】
以下、本実施形態について、図を用いて説明する。本実施形態における乾式負荷試験装置１は、第１土台部１１〜第３土台部１３、抵抗部２０（第１抵抗ユニット２１〜第３抵抗ユニット２３）、冷却部３０（第１冷却ファン３１〜第３冷却ファン３３）、電源接続部４０、碍子５０を備える（図１〜図１２参照）。
【００１６】
第１土台部１１は、略直方体形状の外形を有し、第１土台部１１内の上部に第１冷却ファン３１が設けられ、第１土台部１１内の下部の側面や底面には、第１冷却ファン３１の吸気口が設けられ、上面には第１冷却ファン３１の排気口が設けられる。第１土台部１１の上部には、第１抵抗ユニット２１が、碍子５０を介して固定される。
【００１７】
第２土台部１２は、略直方体形状の外形を有し、第２土台部１２内の上部に第２冷却ファン３２が設けられ、第２土台部１２内の下部の側面や底面には、第２冷却ファン３２の吸気口が設けられ、上面には第２冷却ファン３２の排気口が設けられる。第２土台部１２の上部には、第２抵抗ユニット２２が、碍子５０を介して固定される。
【００１８】
第３土台部１３は、略直方体形状の外形を有し、第３土台部１３内の上部に第３冷却ファン３３が設けられ、第３土台部１３内の下部の側面や底面には、第３冷却ファン３３の吸気口が設けられ、上面には第３冷却ファン３３の排気口が設けられる。第３土台部１３の上部には、第３抵抗ユニット２３が、碍子５０を介して固定される。
【００１９】
なお、碍子５０と各土台部の間に、ベース板や防振絶縁ゴムなど（不図示）が設けられる形態であってもよい。
【００２０】
方向を説明するため、低抵抗抵抗器Ｌや高抵抗抵抗器Ｈが延びる水平方向（低抵抗抵抗器Ｌの第１抵抗線６１ａが延びる水平方向や、高抵抗抵抗器Ｈの第２抵抗線６１ｂの中心軸ＬＸ）をｘ方向、ｘ方向に垂直な水平方向をｙ方向、ｘ方向とｙ方向に垂直な鉛直方向をｚ方向として説明する。
【００２１】
また、第１抵抗ユニット２１がある側を前方とし、第３抵抗ユニット２３がある側を後方として説明する。第１抵抗ユニット２１の第１枠２１ａの背面は、第２抵抗ユニット２２の第２枠２２ａの前面と対向し、第２抵抗ユニットの第２枠２２ａの背面は、第３抵抗ユニット２３の第３枠２３ａの前面と対向する。
【００２２】
第１土台部１１と第２土台部１２と第３土台部１３は、ｘ方向に並べられた状態で設置される。ただし、第１土台部１１と第２土台部１２と第３土台部１３は、別の方向（例えば、ｙ方向）に並べられる形態であってもよい。
第１土台部１１と第２土台部１２と第３土台部１３は、不図示の接続部材で接続されて一体的に構成される形態であってもよいし、図２に示すように別体で構成される形態であってもよい。
【００２３】
第１抵抗ユニット２１〜第３抵抗ユニット２３のそれぞれは、ｘ方向に平行な棒状の高抵抗抵抗器Ｈ×３本とｘ方向に平行な棒状の低抵抗抵抗器Ｌ×１本とがｙ方向に所定の間隔を空けて直列接続された抵抗器群が、ｙ方向に３組並んで直列接続され、当該３組の抵抗器群を含む抵抗器群セットがｚ方向に複数段（本実施形態では８段）並んで並列接続されたもので、絶縁素材で構成され当該抵抗器群セットの側面を覆う枠（第１枠２１ａ〜第３枠２３ａ）を含む。
第１抵抗ユニット２１〜第３抵抗ユニット２３は、スイッチを介して、使用する抵抗器群セットの切り替えを行って、発電機などの試験対象電源の負荷の条件を変えて、試験対象電源の負荷試験を行うために用いられる。
【００２４】
３つの抵抗ユニットのうち、少なくとも１つの抵抗ユニット（本実施形態では、第１抵抗ユニット２１）は、複数段の抵抗器群セットのそれぞれにおいて、３組の抵抗器群が第１三相交流発電機（例えば、定格電圧：４００Ｖ）とデルタ結線での接続が可能な状態に配線される。
３つの抵抗ユニットは、複数段の抵抗器群セットのそれぞれにおいて、第１三相交流発電機よりも定格電圧が大きい第２三相交流発電機（例えば、定格電圧：６６００Ｖ）とスター結線での接続が可能な状態で配線される。
【００２５】
具体的には、第１抵抗ユニット２１における３組の抵抗器群のそれぞれにおける３本の高抵抗抵抗器Ｈは、スイッチ（後述する第１１スイッチＳ１１〜第１６スイッチＳ１６）を介して、直列接続と並列接続とが切り替え出来るように接続される。
また、第１抵抗ユニット２１における３組の抵抗器群は、スイッチ（後述する第１７スイッチＳ１７）を介して、当該３組の抵抗器群のデルタ結線状態のオンオフが切り替えできるように接続される。
【００２６】
第１抵抗ユニット２１におけるｎ段目（１≦ｎ≦８）の抵抗器群セットは、第１１高抵抗抵抗器Ｈ１１〜第１３高抵抗抵抗器Ｈ１３、第１１低抵抗抵抗器Ｌ１１、第１４高抵抗抵抗器Ｈ１４〜第１６高抵抗抵抗器Ｈ１６、第１２低抵抗抵抗器Ｌ１２、第１７高抵抗抵抗器Ｈ１７〜第１９高抵抗抵抗器Ｈ１９、第１３低抵抗抵抗器Ｌ１３がｙ方向に並べられ、抵抗器の他に、第１Ｕ相スイッチＳ１Ｕ、第２Ｕ相スイッチＳ２Ｕ、第１Ｖ相スイッチＳ１Ｖ、第１Ｗ相スイッチＳ１Ｗ、第１１スイッチＳ１１〜第１７スイッチＳ１７を有する。
【００２７】
第１１高抵抗抵抗器Ｈ１１、第１２高抵抗抵抗器Ｈ１２、第１３高抵抗抵抗器Ｈ１３、第１１低抵抗抵抗器Ｌ１１が、第１抵抗ユニット２１の抵抗器群セットにおける第１の抵抗器群を構成する。
第１１スイッチＳ１１と第１２スイッチＳ１２は、単投型スイッチで、第１の抵抗器群における第１１高抵抗抵抗器Ｈ１１〜第１３高抵抗抵抗器Ｈ１３の接続状態を直列と並列とで切り替えるために使用される。
【００２８】
第１４高抵抗抵抗器Ｈ１４、第１５高抵抗抵抗器Ｈ１５、第１６高抵抗抵抗器Ｈ１６、第１２低抵抗抵抗器Ｌ１２が、第１抵抗ユニット２１の抵抗器群セットにおける第２の抵抗器群を構成する。
第１３スイッチＳ１３と第１４スイッチＳ１４は、単投型スイッチで、第２の抵抗器群における第１４高抵抗抵抗器Ｈ１４〜第１６高抵抗抵抗器Ｈ１６の接続状態を直列と並列とで切り替えるために使用される。
【００２９】
第１７高抵抗抵抗器Ｈ１７、第１８高抵抗抵抗器Ｈ１８、第１９高抵抗抵抗器Ｈ１９、第１３低抵抗抵抗器Ｌ１３が、第１抵抗ユニット２１の抵抗器群セットにおける第３の抵抗器群を構成する。
第１５スイッチＳ１５と第１６スイッチＳ１６は、単投型スイッチで、第３の抵抗器群における第１７高抵抗抵抗器Ｈ１７〜第１９高抵抗抵抗器Ｈ１９の接続状態を直列と並列とで切り替えるために使用される。
【００３０】
第１７スイッチＳ１７は、双投型スイッチで、第１の抵抗器群における第１１高抵抗抵抗器Ｈ１１〜第１３高抵抗抵抗器Ｈ１３と、第２の抵抗器群における第１４高抵抗抵抗器Ｈ１４〜第１６高抵抗抵抗器Ｈ１６と、第３の抵抗器群における第１７高抵抗抵抗器Ｈ１６〜第１９高抵抗抵抗器Ｈ１９について、デルタ結線での接続状態のオンオフを切り替えたり、第１抵抗ユニット２１と第２抵抗ユニット２２と第３抵抗ユニット２３の中性点接続のオンオフを切り替えたりするために使用される。
本実施形態では、第１７スイッチＳ１７が双投型スイッチであるとして説明するが、デルタ結線での接続状態のオンオフを切り替えるための単投型スイッチと、中性点接続のオンオフを切り替えるための別の単投型スイッチとで構成される形態であってもよい。
【００３１】
第１１高抵抗抵抗器Ｈ１１の一方の端子６３は、第１１スイッチＳ１１の一方の端子、第１７スイッチＳ１７の端子の一方（例えば、常時閉路端子）、及び第２Ｕ相スイッチＳ２Ｕの一方の端子と接続する。
第１１高抵抗抵抗器Ｈ１１の他方の端子６３は、第１２高抵抗抵抗器Ｈ１２の一方の端子６３、及び第１２スイッチＳ１２の一方の端子と接続する。
第１２高抵抗抵抗器Ｈ１２の他方の端子６３は、第１３高抵抗抵抗器Ｈ１３の一方の端子６３、及び第１１スイッチＳ１１の他方の端子と接続する。
第１３高抵抗抵抗器Ｈ１３の他方の端子６３は、第１１低抵抗抵抗器Ｌ１１の一方の端子６３、第１２スイッチＳ１２の他方の端子、及び第１Ｕ相スイッチＳ１Ｕの一方の端子と接続する。
第１１低抵抗抵抗器Ｌ１１の他方の端子６３は、第１４高抵抗抵抗器Ｈ１４の一方の端子６３、及び第１３スイッチＳ１３の一方の端子と接続する。
第１４高抵抗抵抗器Ｈ１４の他方の端子６３は、第１５高抵抗抵抗器Ｈ１５の一方の端子６３、及び第１４スイッチＳ１４の一方の端子と接続する。
第１５高抵抗抵抗器Ｈ１５の他方の端子６３は、第１６高抵抗抵抗器Ｈ１６の一方の端子６３、及び第１３スイッチＳ１３の他方の端子と接続する。
第１６高抵抗抵抗器Ｈ１６の他方の端子６３は、第１２低抵抗抵抗器Ｌ１２の一方の端子６３、第１４スイッチＳ１４の他方の端子、及び第１Ｖ相スイッチＳ１Ｖの一方の端子と接続する。
第１２低抵抗抵抗器Ｌ１２の他方の端子６３は、第１７高抵抗抵抗器Ｈ１７の一方の端子６３、及び第１５スイッチＳ１５の一方の端子と接続する。
第１７高抵抗抵抗器Ｈ１７の他方の端子６３は、第１８高抵抗抵抗器Ｈ１８の一方の端子６３、及び第１６スイッチＳ１６の一方の端子と接続する。
第１８高抵抗抵抗器Ｈ１８の他方の端子６３は、第１９高抵抗抵抗器Ｈ１９の一方の端子６３、及び第１５スイッチＳ１５の他方の端子と接続する。
第１９高抵抗抵抗器Ｈ１９の他方の端子６３は、第１３低抵抗抵抗器Ｌ１３の一方の端子６３、第１６スイッチＳ１６の他方の端子、及び第１Ｗ相スイッチＳ１Ｗと接続する。
第１３低抵抗抵抗器Ｌｌ３の他方の端子６３は、第１７スイッチＳ１７の共通端子と接続する。
第１７スイッチＳ１７の端子の他方（例えば、常時開路端子）は、第１抵抗ユニット２１の他段の抵抗器群セットにおける第１７スイッチＳ１７の端子の他方（例えば、常時開路端子）と接続し、第２抵抗ユニット２２の各段の抵抗器群セットにおける第２３低抵抗抵抗器Ｌ２３の他方の端子６３と接続し、第３抵抗ユニット２３の各段の抵抗器群セットにおける第３３低抵抗抵抗器Ｌ３３の他方の端子６３と接続する。
【００３２】
第２抵抗ユニット２２におけるｎ段目（１≦ｎ≦８）の抵抗器群セットは、第２１高抵抗抵抗器Ｈ２１〜第２３高抵抗抵抗器Ｈ２３、第２１低抵抗抵抗器Ｌ２１、第２４高抵抗抵抗器Ｈ２４〜第２６高抵抗抵抗器Ｈ２６、第２２低抵抗抵抗器Ｌ２２、第２７高抵抗抵抗器Ｈ２７〜第２９高抵抗抵抗器Ｈ２９、第２３低抵抗抵抗器Ｌ２３がｙ方向に並べられ、抵抗器の他に、第２Ｖ相スイッチＳ２Ｖを有する。
【００３３】
第２１高抵抗抵抗器Ｈ２１の一方の端子６３は、第２Ｖ相スイッチＳ２Ｖの一方の端子と接続する。
第２１高抵抗抵抗器Ｈ２１の他方の端子６３は、第２２高抵抗抵抗器Ｈ２２の一方の端子６３と接続する。
第２２高抵抗抵抗器Ｈ２２の他方の端子６３は、第２３高抵抗抵抗器Ｈ２３の一方の端子６３と接続する。
第２３高抵抗抵抗器Ｈ２３の他方の端子６３は、第２１低抵抗抵抗器Ｌ２１の一方の端子６３と接続する。
第２１低抵抗抵抗器Ｌ２１の他方の端子６３は、第２４高抵抗抵抗器Ｈ２４の一方の端子６３と接続する。
第２４高抵抗抵抗器Ｈ２４の他方の端子６３は、第２５高抵抗抵抗器Ｈ２５の一方の端子６３と接続する。
第２５高抵抗抵抗器Ｈ２５の他方の端子６３は、第２６高抵抗抵抗器Ｈ２６の一方の端子６３と接続する。
第２６高抵抗抵抗器Ｈ２６の他方の端子６３は、第２２低抵抗抵抗器Ｌ２２の一方の端子６３と接続する。
第２２低抵抗抵抗器Ｌ２２の他方の端子６３は、第２７高抵抗抵抗器Ｈ２７の一方の端子６３と接続する。
第２７高抵抗抵抗器Ｈ２７の他方の端子６３は、第２８高抵抗抵抗器Ｈ２８の一方の端子６３と接続する。
第２８高抵抗抵抗器Ｈ２８の他方の端子６３は、第２９高抵抗抵抗器Ｈ２９の一方の端子６３と接続する。
第２９高抵抗抵抗器Ｈ２９の他方の端子６３は、第２３低抵抗抵抗器Ｌ２３の一方の端子６３と接続する。
第２３低抵抗抵抗器Ｌ２３の他方の端子６３は、第２抵抗ユニット２２の他段の抵抗器群セットにおける第２３低抵抗抵抗器Ｌ２３の他方の端子６３と接続し、第１抵抗ユニット２１の各段の抵抗器群セットにおける第１７スイッチＳ１７の端子の他方（例えば、常時開路端子）と接続し、第３抵抗ユニット２３の各段の抵抗器群セットにおける第３３低抵抗抵抗器Ｌ３３の他方の端子６３と接続する。
【００３４】
第３抵抗ユニット２３におけるｎ段目（１≦ｎ≦８）の抵抗器群セットは、第３１高抵抗抵抗器Ｈ３１〜第３３高抵抗抵抗器Ｈ３３、第３１低抵抗抵抗器Ｌ３１、第３４高抵抗抵抗器Ｈ３４〜第３６高抵抗抵抗器Ｈ３６、第３２低抵抗抵抗器Ｌ３２、第３７高抵抗抵抗器Ｈ３７〜第３９高抵抗抵抗器Ｈ３９、第３３低抵抗抵抗器Ｌ３３がｙ方向に並べられ、抵抗器の他に、第２Ｗ相スイッチＳ２Ｗを有する。
【００３５】
第３１高抵抗抵抗器Ｈ３１の一方の端子６３は、第２Ｗ相スイッチＳ２Ｗの一方の端子と接続する。
第３１高抵抗抵抗器Ｈ３１の他方の端子６３は、第３２高抵抗抵抗器Ｈ３２の一方の端子６３と接続する。
第３２高抵抗抵抗器Ｈ３２の他方の端子６３は、第３３高抵抗抵抗器Ｈ３３の一方の端子６３と接続する。
第３３高抵抗抵抗器Ｈ３３の他方の端子６３は、第３１低抵抗抵抗器Ｌ３１の一方の端子６３と接続する。
第３１低抵抗抵抗器Ｌ３１の他方の端子６３は、第３４高抵抗抵抗器Ｈ３４の一方の端子６３端子６３と接続する。
第３４高抵抗抵抗器Ｈ３４の他方の端子６３は、第３５高抵抗抵抗器Ｈ３５の一方の端子６３と接続する。
第３５高抵抗抵抗器Ｈ３５の他方の端子６３は、第３６高抵抗抵抗器Ｈ３６の一方の端子６３と接続する。
第３６高抵抗抵抗器Ｈ３６の他方の端子６３は、第３２低抵抗抵抗器Ｌ３２の一方の端子６３と接続する。
第３２低抵抗抵抗器Ｌ３２の他方の端子６３は、第３７高抵抗抵抗器Ｈ３７の一方の端子６３と接続する。
第３７高抵抗抵抗器Ｈ３７の他方の端子６３は、第３８高抵抗抵抗器Ｈ３８の一方の端子６３と接続する。
第３８高抵抗抵抗器Ｈ３８の他方の端子６３は、第３９高抵抗抵抗器Ｈ３９の一方の端子６３と接続する。
第３９高抵抗抵抗器Ｈ３９の他方の端子６３は、第３３低抵抗抵抗器Ｌ３３の一方の端子６３と接続する。
第３３低抵抗抵抗器Ｌ２３の他方の端子６３は、第３抵抗ユニット２３の他段の抵抗器群セットにおける第３３低抵抗抵抗器Ｌ３３の他方の端子６３と接続し、第１抵抗ユニット２１の各段の抵抗器群セットにおける第１７スイッチＳ１７の端子の他方（例えば、常時開路端子）と接続し、第２抵抗ユニット２２の各段の抵抗器群セットにおける第２３低抵抗抵抗器Ｌ２３の他方の端子６３と接続する。
【００３６】
中性点接続のため、第１７スイッチＳ１７の端子の他方（例えば、常時開路端子）は、第２３低抵抗抵抗器Ｌ２３の他方の端子６３、及び第３３低抵抗抵抗器Ｌ３３の他方の端子６３と接続する。
【００３７】
第１Ｕ相スイッチＳ１Ｕ、第１Ｖ相スイッチＳ１Ｖ、第１Ｗ相スイッチＳ１Ｗ、第２Ｕ相スイッチＳ２Ｕ、第２Ｖ相スイッチＳ２Ｖ、第２Ｗ相スイッチＳ２Ｗは、いずれも単投型スイッチである。
【００３８】
第１Ｕ相スイッチＳ１Ｕの他方の端子は、電源接続部４０の端子部４３に設けられた第１Ｕ相端子Ｕ１と接続する。
第１Ｖ相スイッチＳ１Ｖの他方の端子は、電源接続部４０の端子部４３に設けられた第１Ｖ相端子Ｖ１と接続する。
第１Ｗ相スイッチＳ１Ｗの他方の端子は、電源接続部４０の端子部４３に設けられた第１Ｗ相端子Ｗ１と接続する。
第２Ｕ相スイッチＳ２Ｕの他方の端子は、電源接続部４０の端子部４３に設けられた第２Ｕ相端子Ｕ２と接続する。
第２Ｖ相スイッチＳ２Ｖの他方の端子は、電源接続部４０の端子部４３に設けられた第２Ｖ相端子Ｖ２と接続する。
第２Ｗ相スイッチＳ２Ｗの他方の端子は、電源接続部４０の端子部４３に設けられた第２Ｗ相端子Ｗ２と接続する。
【００３９】
第１三相交流発電機の負荷試験を行う場合には、第１Ｕ相端子Ｕ１に、第１三相交流発電機のＲ相端子が接続され、第１Ｖ相端子Ｖ１に、第１三相交流発電機のＳ相端子が接続され、第１Ｗ相端子Ｗ１に、第１三相交流発電機のＴ相端子が接続され、第１１スイッチＳ１１〜第１６スイッチＳ１６はオン状態にされ、第１７スイッチＳ１７における共通端子は端子の一方（第１１高抵抗抵抗器Ｈ１１の一方の端子６３などと接続する端子（常時閉路端子））と接続状態にされ、第２Ｕ相スイッチＳ２Ｕと第２Ｖ相スイッチＳ２Ｖと第２Ｗ相スイッチＳ２Ｗはオフ状態にされる（図６参照）。
このとき、複数段の抵抗器群セットのそれぞれについて、第１の抵抗器群の第１１高抵抗抵抗器Ｈ１１〜第１３高抵抗抵抗器Ｈ１３は並列に接続され、第２の抵抗器群の第１４高抵抗抵抗器Ｈ１４〜第１６高抵抗抵抗器Ｈ１６は並列に接続され、第３の抵抗器群の第１７高抵抗抵抗器Ｈ１７〜第１９高抵抗抵抗器Ｈ１９は並列に接続され、第１の抵抗器群と第２の抵抗器群と第３の抵抗器群はデルタ結線で接続される。
第１Ｕ相スイッチＳ１Ｕと第１Ｖ相スイッチＳ１Ｖと第１Ｗ相スイッチＳ１Ｗは、負荷試験に使用する抵抗器群セットに対応するものが使用者の手動操作などによりオン状態にされ、負荷試験に使用しない抵抗器群セットに対応するものが使用者の手動操作などによりオフ状態にされる。
【００４０】
第１三相交流発電機の負荷試験を行う場合、第１抵抗ユニット２１における第１の抵抗器群はＲ相の負荷試験に用いられ、第２の抵抗器群はＳ相の負荷試験に用いられ、第３の抵抗器群はＴ相の負荷試験に用いられ、第２抵抗ユニット２２と第３抵抗ユニット２３は負荷試験に用いられない。
【００４１】
第２三相交流発電機の負荷試験を行う場合には、第２Ｕ相端子Ｕ２に、第２三相交流発電機のＲ相端子が接続され、第２Ｖ相端子Ｖ２に、第２三相交流発電機のＳ相端子が接続され、第２Ｗ相端子Ｗ２に、第２三相交流発電機のＴ相端子が接続され、第１１スイッチＳ１１〜第１６スイッチＳ１６はオフ状態にされ、第１７スイッチＳ１７における共通端子は端子の他方（第２３低抵抗抵抗器Ｌ２３の他方の端子６３などと接続する端子（常時開路端子））と接続状態にされ、第１Ｕ相スイッチＳ１Ｕと第１Ｖ相スイッチＳ１Ｖと第１Ｗ相スイッチＳ１Ｗはオフ状態にされる（図７参照）。
このとき、複数段の抵抗器群セットのそれぞれについて、第１抵抗ユニット２１の抵抗器（第１１高抵抗抵抗器Ｈ１１〜第１９高抵抗抵抗器Ｈ１９、第１１低抵抗抵抗器Ｌ１１〜第１３低抵抗抵抗器Ｌ１３）は直列に接続され、第２抵抗ユニット２２の抵抗器（第２１高抵抗抵抗器Ｈ２１〜第２９高抵抗抵抗器Ｈ２９、第２１低抵抗抵抗器Ｌ２１〜第２３低抵抗抵抗器Ｌ２３）は直列に接続され、第３抵抗ユニット２３の抵抗器（第３１高抵抗抵抗器Ｈ３１〜第３９高抵抗抵抗器Ｈ３９）は直列に接続され、第１抵抗ユニット２１の抵抗器群セットと第２抵抗ユニット２２の抵抗器群セットと第３抵抗ユニット２３の抵抗器群セットはスター結線で接続される。
第２Ｕ相スイッチＳ２Ｕと第２Ｖ相スイッチＳ２Ｖと第２Ｗ相スイッチＳ２Ｗは、負荷試験に使用する抵抗器群セットに対応するものが使用者の手動操作などによりオン状態にされ、負荷試験に使用しない抵抗器群セットに対応するものが使用者の手動操作などによりオフ状態にされる。
【００４２】
第２三相交流発電機の負荷試験を行う場合、第１抵抗ユニット２１はＲ相の負荷試験に用いられ、第２抵抗ユニット２２はＳ相の負荷試験に用いられ、第３抵抗ユニット２３はＴ相の負荷試験に用いられる。
【００４３】
第１抵抗ユニット２１における第１１スイッチＳ１１〜第１７スイッチＳ１７は、同時に回路の開閉が行われる多極スイッチで構成されてもよい。
具体的には、第１１スイッチＳ１１がオン状態の時、第１２スイッチＳ１２〜第１６スイッチＳ１６はオン状態にされ、第１７スイッチＳ１７における共通端子と端子の一方（第１１高抵抗抵抗器Ｈ１１の一方の端子６３などと接続する端子（常時閉路端子））が接続状態にされる。
また、第１１スイッチＳ１１がオフ状態の時、第１２スイッチＳ１２〜第１６スイッチＳ１６はオフ状態にされ、第１７スイッチＳ１７における共通端子と端子の他方（第２３低抵抗抵抗器Ｌ２３の他方の端子６３などと接続する端子（常時開路端子））が接続状態にされる。
第１抵抗ユニット２１におけるｎ段目（１≦ｎ≦８）の抵抗器群セットの第１Ｕ相スイッチＳ１Ｕ、第１Ｖ相スイッチＳ１Ｖ、第１Ｗ相スイッチＳ１Ｗは、同時に回路の開閉が行われる３極スイッチで構成されてもよい。
第１抵抗ユニット２１〜第３抵抗ユニット２３におけるｎ段目（１≦ｎ≦８）の抵抗器群セットの第２Ｕ相スイッチＳ２Ｕ、第２Ｖ相スイッチＳ２Ｖ、第２Ｗ相スイッチＳ２Ｗは、同時に回路の開閉が行われる３極スイッチで構成されてもよい。
【００４４】
本実施形態では、第１抵抗ユニット２１〜第３抵抗ユニット２３の抵抗器群は、低抵抗抵抗器Lと、３本の高抵抗抵抗器Ｈが直列接続と並列接続とが切替可能な状態で並べられたものとが直列に接続されたとして説明したが、高抵抗抵抗器Ｈの数は３本に限るものではなく、５本など他の本数であってもよい。
但し、配線を容易にするためには、高抵抗抵抗器Ｈの数は奇数であるのが望ましい。
【００４５】
また、第１抵抗ユニット２１〜第３抵抗ユニット２３の抵抗器群セットは、ｚ方向に８段並べられたものとして説明したが、抵抗器群セットが積み重ねられる段数はこれに限るものではない。
また、１つの段の中に複数セットの抵抗器群セットが構成される形態であってもよいし、複数の段の中に１つの抵抗器群セットが構成される形態であってもよい。
【００４６】
抵抗器群セットのそれぞれは、下部に設けられた冷却ファンからの冷風を上部に流すために、上面と下面が開口し、隣り合う抵抗ユニットとの絶縁性を高めるために、絶縁素材で出来た枠（第１枠２１ａ〜第３枠２３ａ）で側面が覆われ、各高抵抗抵抗器Ｈや低抵抗抵抗器Ｌの両端（後述する円筒部６７）は、当該枠の前面部分や背面部分によって保持される。
【００４７】
第１抵抗ユニット２１〜第３抵抗ユニット２３の抵抗器（高抵抗抵抗器Ｈ、低抵抗抵抗器Ｌ）の端子６３は、それぞれの抵抗ユニットの抵抗器群セットの側面を覆う枠（第１枠２１ａ〜第３枠２３ａ）からｘ方向に突出し、突出した部分を使って、隣接する抵抗器の端子６３やスイッチ（第１１スイッチＳ１１など）と接続する。
【００４８】
第１抵抗ユニット２１〜第３抵抗ユニット２３のそれぞれは、電源負荷試験を行う際の、試験対象電源の定格電圧に対応した仕様（高抵抗抵抗器Ｈの数や抵抗値など）を有する。
【００４９】
具体的には、第１抵抗ユニット２１〜第３抵抗ユニット２３のそれぞれは、第１抵抗ユニット２１〜第３抵抗ユニット２３を用いて、三相交流電源（第２三相交流発電機）の負荷試験を行う際の、試験対象電源の定格電圧に対応した仕様（高抵抗抵抗器Ｈの数や抵抗値など）を有する。
また、第１抵抗ユニット２１は、第１抵抗ユニット２１を用いて、三相交流電源（第１三相交流発電機）の負荷試験を行う際の、試験対象電源の定格電圧に対応した仕様（高抵抗抵抗器Ｈの数や抵抗値など）を有する。
【００５０】
次に、第１１低抵抗抵抗器Ｌ１１〜第１３低抵抗抵抗器Ｌ１３、第２１低抵抗抵抗器Ｌ２１〜第２３低抵抗抵抗器Ｌ２３、及び第３１低抵抗抵抗器Ｌ３１〜第３３低抵抗抵抗器Ｌ３３を構成する低抵抗抵抗器Ｌの詳細について説明する。
【００５１】
低抵抗抵抗器Ｌは、ニクロム線などで構成され端子６３との固定部分以外（端子６３の一方と他方の間）が直線状に形成された第１抵抗線６１ａ、第１抵抗線６１ａと電気的に接続され第１抵抗線６１ａの両端に設けられた端子（ボビン）６３、第１絶縁部材６５ａを介して端子６３を保持し抵抗線６１や端子６３の一部（第１枠２１ａ（若しくは、第２枠２２ａ、第３枠２３ａ）を構成する壁から外側に露出しない部分）の側面を覆う円筒部６７を有する（図９、図１０参照）。
なお、図９の断面構成図は、第１抵抗線６１ａ、端子６３、ナット６６以外の部材の断面を示し、第１抵抗線６１ａ、端子６３，ナット６６は側面を示す。
低抵抗抵抗器Ｌの円筒部６７の側面には、放熱用フィン６９が設けらない。
【００５２】
端子６３は、ナット６６との螺号の為に雄ねじ形状を有し一部が円筒部６７から露出する第１端部６３ａ、略円柱形状を有し第１抵抗線６１ａの一部が巻き付けられる第２端部６３ｂ、第１端部６３ａと第２端部６３ｂに挟まれた中間部６３ｃを有し、第１端部６３ａと中間部６３ｃと第２端部６３ｂが一体的に構成される。
第１抵抗線６１ａの一部は、第２端部６３ｂに巻き付けられ、スポット溶接などで固定される。
【００５３】
円筒部６７の内部は、マグネシアなどの絶縁粉末６４が充填され、圧縮と熱によって固められる。
絶縁粉末６４は、第１端部６３ａの一部と、第２端部６３ｂの全部と、中間部６３ｃの全部を覆うように充填される。
絶縁粉末６４における第１絶縁部材６５ａと対向する部分（絶縁粉末６４と第１絶縁部材６５ａの境界部分）や、第１端部６３ａの雄ねじ形状部分の一部は、シリコーンなどでコーキング６２が施される。
コーキング６２を介して、第１端部６３ａの雄ねじ形状部分の一部と絶縁粉末６４が固定された状態になる。
【００５４】
第１絶縁部材６５ａと円筒部６７を間に挟んだ状態で、ナット６６が第１端部６３ａに螺合される。
端子６３は、他の抵抗器（高抵抗抵抗器Ｈ）と短絡バーで接続されたり、ケーブルを介してスイッチ（第１Ｕ相スイッチＳ１Ｕなど）に接続されたりする。
低抵抗抵抗器Ｌにおける端子６３と導通しない箇所（第１絶縁部材６５ａを介して、端子６３を保持する円筒部６７の両端近傍など）が、第２絶縁部材６５ｂを介して、枠（第１枠２１ａ〜第３枠２３ａ）を構成する壁に保持される。
【００５５】
次に、第１１高抵抗抵抗器Ｈ１１〜第１９高抵抗抵抗器Ｈ１９、第２１高抵抗抵抗器Ｈ２１〜第２９高抵抗抵抗器Ｈ２９、及び第３１高抵抗抵抗器Ｈ３１〜第３９高抵抗抵抗器Ｈ３９を構成する高抵抗抵抗器Ｈの詳細について説明する。
【００５６】
高抵抗抵抗器（シーズヒーター）Ｈは、ニクロム線などで構成され端子６３との固定部分以外（端子６３の一方と他方の間）が螺旋状に形成された第２抵抗線６１ｂ、第２抵抗線６１ｂと電気的に接続され第２抵抗線６１ｂの両端に設けられた端子（ボビン）６３、第１絶縁部材６５ａを介して端子６３を保持し抵抗線６１や端子６３の一部（第１枠２１ａ（若しくは、第２枠２２ａ、第３枠２３ａ）を構成する壁から外側に露出しない部分）の側面を覆う円筒部６７を有する（図１１、図１２参照）。
なお、図１１の断面構成図は、第２抵抗線６１ｂ、端子６３、ナット６６以外の部材の断面を示し、第２抵抗線６１ｂ、端子６３，ナット６６は側面を示す。
高抵抗抵抗器Ｈの円筒部６７の側面には、放熱用フィン６９が設けられる。
【００５７】
端子６３は、ナット６６との螺号の為に雄ねじ形状を有し一部が円筒部６７から露出する第１端部６３ａ、略円柱形状を有し第２抵抗線６１ｂの一部が巻き付けられる第２端部６３ｂ、第１端部６３ａと第２端部６３ｂに挟まれた中間部６３ｃを有し、第１端部６３ａと中間部６３ｃと第２端部６３ｂが一体的に構成される。
第２抵抗線６１ｂの一部は、第２端部６３ｂに巻き付けられ、スポット溶接などで固定される。
【００５８】
円筒部６７の内部は、マグネシアなどの絶縁粉末６４が充填され、圧縮と熱によって固められる。
絶縁粉末６４は、第１端部６３ａの一部と、第２端部６３ｂの全部と、中間部６３ｃの全部を覆うように充填される。
絶縁粉末６４における第１絶縁部材６５ａと対向する部分（絶縁粉末６４と第１絶縁部材６５ａの境界部分）や、第１端部６３ａの雄ねじ形状部分の一部は、シリコーンなどでコーキング６２が施される。
コーキング６２を介して、第１端部６３ａの雄ねじ形状部分の一部と絶縁粉末６４が固定された状態になる。
【００５９】
第１絶縁部材６５ａと円筒部６７を間に挟んだ状態で、ナット６６が第１端部６３ａに螺合される。
端子６３は、他の抵抗器（高抵抗抵抗器Ｈ若しくは低抵抗抵抗器Ｌ）と短絡バーで接続されたり、ケーブルを介してスイッチ（第１１スイッチＳ１１など）に接続されたりする。
高抵抗抵抗器Ｈにおける端子６３と導通しない箇所（第１絶縁部材６５ａを介して、端子６３を保持する円筒部６７の両端近傍など）が、第２絶縁部材６５ｂを介して、枠（第１枠２１ａ〜第３枠２３ａ）を構成する壁に保持される。
【００６０】
低抵抗抵抗器Ｌの抵抗値は、高抵抗抵抗器Ｈの抵抗値の１／５００以下（例えば、１００ミリオーム以下）になるように低抵抗抵抗器Ｌの各部材が構成される。
低抵抗抵抗器Ｌの抵抗値を小さくするため、第１抵抗線６１ａは、第２抵抗線６１ｂよりも太い部材が用いられるのが望ましい。
【００６１】
低抵抗抵抗器Ｌを、枠（第１枠２１ａ〜第３枠２３ａ）を構成する壁に保持し、隣接する高抵抗抵抗器Ｈなどと電気的に接続させることにより、枠の内部で他の高抵抗抵抗器Ｈと短絡せずに配線する（ｘ方向に電気を移動させる）ことが可能になる。
ブスバーやケーブルを使って、枠の内部若しくは外部を通って配線することは可能であるが、枠の内部では他の高抵抗抵抗器Ｈとの短絡が生じる可能性があり、枠の外部では配線が複雑になる可能性がある。
低抵抗抵抗器Ｌを用いれば、枠の内部で他の高抵抗抵抗器Ｈと短絡することなく簡単にｘ方向（高抵抗抵抗器Ｈが延びる方向）への配線が可能になる。
【００６２】
また、高抵抗抵抗器Ｈから、螺旋状の第２抵抗線６１ｂを直線状で太めの第１抵抗線６１ａに置き換え、放熱用フィン６９を取り外すことで低抵抗抵抗器Ｌを構成することが出来るので、高抵抗抵抗器Ｈを製造する要領で簡単に低抵抗抵抗器Ｌを製造することが可能になる。
なお、低抵抗抵抗器Ｌは、他の配線形態の負荷試験装置に用いられるものであってもよい。
【００６３】
第１冷却ファン３１〜第３冷却ファン３３のそれぞれは、負荷試験時に、第１抵抗ユニット２１〜第３抵抗ユニット２３のそれぞれを冷却するための仕様（ファンの冷却能力など）を有する。
【００６４】
電源接続部４０は、操作部４１と端子部４３を有し、第１抵抗ユニット２１〜第３抵抗ユニット２３の近傍（例えば、第３抵抗ユニット２３の後方）に配置される。
操作部４１は、負荷試験装置１の電源オンオフ操作、第１冷却ファン３１〜第３冷却ファン３３のオンオフ操作、試験対象電源の選択（電圧選択）、負荷量を変えるため試験対象電源と接続する抵抗器群セットの数の選択（負荷量の選択）を行うために使用される。
【００６５】
操作部４１における電源オンオフ操作や冷却ファンのオンオフ操作で、少なくとも一方がオフ状態にされている場合、スイッチ（第１１スイッチＳ１１〜第１６スイッチＳ１６、第１Ｕ相スイッチＳ１Ｕ、第２Ｕ相スイッチＳ２Ｕ、第１Ｖ相スイッチＳ１Ｖ、第２Ｖ相スイッチＳ２Ｖ、第１Ｗ相スイッチＳ１Ｗ、第２Ｗ相スイッチＳ２Ｗ）はオフ状態にされる。
第１７スイッチＳ１７における共通端子は、端子の一方（第１１高抵抗抵抗器Ｈ１１の一方の端子６３などと接続する端子）、若しくは、端子の他方（第２３低抵抗抵抗器Ｌ２３の他方の端子６３などと接続する端子）と接続状態にされる。
【００６６】
試験対象電源の選択で、低圧の電源（第１三相交流発電機）の負荷試験が選択されている場合、第１１スイッチＳ１１〜第１６スイッチＳ１６はオン状態にされ、第２Ｕ相スイッチＳ２Ｕと第２Ｖ相スイッチＳ２Ｖと第２Ｗ相スイッチＳ２Ｗはオフ状態にされ、第１７スイッチＳ１７における共通端子は端子の一方（第１１高抵抗抵抗器Ｈ１１の一方の端子６３などと接続する端子）と接続状態にされる。
また、操作部４１における負荷量に関する操作状態に応じて、各段の第１Ｕ相スイッチＳ１Ｕと第１Ｖ相スイッチＳ１Ｖと第１Ｗ相スイッチＳ１Ｗのオンオフ制御が行われ、これにより、負荷試験に使用する第１抵抗ユニット２１における抵抗器群セットの切り替えが行われる。
【００６７】
試験対象電源の電圧選択で、高圧の電源（第２三相交流発電機）の負荷試験が選択されている場合、第１１スイッチＳ１１〜第１７スイッチＳ１７と第１Ｕ相スイッチＳ１Ｕと第１Ｖ相スイッチＳ１Ｖと第１Ｗ相スイッチＳ１Ｗはオフ状態にされ、第１７スイッチＳ１７における共通端子は端子の他方（第２３低抵抗抵抗器Ｌ２３の他方の端子６３などと接続する端子）と接続状態にされる。
また、操作部４１における負荷量に関する操作状態に応じて、各段の第２Ｕ相スイッチＳ２Ｕと第２Ｖ相スイッチＳ２Ｖと第２Ｗ相スイッチＳ２Ｗのオンオフ制御が行われ、これにより、負荷試験に使用する第１抵抗ユニット２１〜第３抵抗ユニット２３における抵抗器群セットの切り替えが行われる。
【００６８】
端子部４３には、真空遮断器（ＶＣＢ:Vacuum Circuit Breaker）が設けられ、試験対象電源との接続は、真空遮断器を介して行われる。
低圧の電源（第１三相交流発電機）は、端子部４３における第１Ｕ相端子Ｕ１、第１Ｖ相端子Ｖ１、第１Ｗ相端子Ｗ１に接続される。
高圧の電源（第２三相交流発電機）は、端子部４３における第２Ｕ相端子Ｕ２、第２Ｖ相端子Ｖ２、第２Ｗ相端子Ｗ２に接続される。
【００６９】
碍子５０は、高い電圧が印加される第１抵抗ユニット２１〜第３抵抗ユニット２３と、周辺機器（第１土台部１１〜第３土台部１３や第１冷却ファン３１〜第３冷却ファン３３、第１Ｕ相スイッチＳ１Ｕなど）との間の絶縁のために用いられる。
【００７０】
本実施形態では、低圧の電源（第１三相交流発電機）の負荷試験を行う場合には、３つの抵抗ユニットのうち１つの抵抗ユニット（第１抵抗ユニット２１）と試験対象電源とがデルタ結線で接続され、高圧の電源（第２三相交流発電機）の負荷試験を行う場合には、３つの抵抗ユニットと試験対象電源がスター結線で接続される。
これにより、配線を複雑化せずに、高圧の負荷試験に用いる負荷試験装置を用いて、低圧の負荷試験を行うことが可能になる。
特に、低抵抗抵抗器Ｌを抵抗器群の一部に含めることで、低圧の電源の負荷試験時のデルタ結線と、高圧の電源の負荷試験時のスター結線とを、簡単な配線で実現出来る。
【符号の説明】
【００７１】
１  負荷試験装置
１１〜１３  第１土台部〜第３土台部
２０  抵抗部
２１〜２３  第１抵抗ユニット〜第３抵抗ユニット
２１ａ〜２３ａ  第１枠〜第３枠
３０  冷却部
３１〜３３  第１冷却ファン〜第３冷却ファン
４０  電源接続部
５０  碍子
６１ａ、６１ｂ  第１抵抗線、第２抵抗線
６２  コーキング
６３  端子
６３ａ  第１端部
６３ｂ  第２端部
６３ｃ  中間部
６４  絶縁粉末
６５ａ、６５ｂ  第１絶縁部材、第２絶縁部材
６６  ナット
６７  円筒部
６９  放熱用フィン
Ｈ  高抵抗抵抗器
Ｈ１１〜Ｈ１９  第１１高抵抗抵抗器〜第１９高抵抗抵抗器
Ｈ２１〜Ｈ２９  第２１高抵抗抵抗器〜第２９高抵抗抵抗器
Ｈ３１〜Ｈ３９  第３１高抵抗抵抗器〜第３９高抵抗抵抗器
Ｌ  低抵抗抵抗器
ＬＸ  高抵抗抵抗器の第２抵抗線の中心軸
Ｌ１１〜Ｌ１３  第１１低抵抗抵抗器〜第１３低抵抗抵抗器
Ｌ２１〜Ｌ２３  第２１低抵抗抵抗器〜第２３低抵抗抵抗器
Ｌ３１〜Ｌ３３  第３１低抵抗抵抗器〜第３３低抵抗抵抗器
Ｓ１１〜Ｓ１７  第１１スイッチ〜第１７スイッチ
Ｓ１Ｕ、Ｓ２Ｕ  第１Ｕ相スイッチ、第２Ｕ相スイッチ
Ｓ１Ｖ、Ｓ２Ｖ  第１Ｕ相スイッチ、第２Ｖ相スイッチ
Ｓ１Ｗ、Ｓ２Ｗ  第１Ｗ相スイッチ、第２Ｗ相スイッチ
【要約】
配線を簡素化出来る負荷試験装置などを提供する。
負荷試験装置は、第１抵抗線を有する低抵抗抵抗器と、第２抵抗線を有する高抵抗抵抗器とを備え、第１抵抗線と第２抵抗線は、負荷試験装置における低抵抗抵抗器と高抵抗抵抗器を保持する枠の内側に配置され、低抵抗抵抗器の抵抗値は、高抵抗抵抗器の抵抗値の１／５００以下であり、第１抵抗線における、第１抵抗線の両端に接続された端子の一方と他方の間は、直線状に形成され、第２抵抗線における、第２抵抗線の両端に接続された端子の一方と他方の間は、螺旋状に形成され、第１抵抗線における直線状に形成された部分は、第２抵抗線における螺旋状に形成された部分の中心軸と平行になるように、低抵抗抵抗器と高抵抗抵抗器が配置される。【図１】
0006312231.tif 000002
【図２】
0006312231.tif 000003
【図３】
0006312231.tif 000004
【図４】
0006312231.tif 000005
【図５】
0006312231.tif 000006
【図６】
0006312231.tif 000007
【図７】
0006312231.tif 000008
【図８】
0006312231.tif 000009
【図９】
0006312231.tif 000010
【図１０】
0006312231.tif 000011
【図１１】
0006312231.tif 000012
【図１２】
0006312231.tif 000013